(57)【要約】      （修正有）【課題】捕獲籠への子供等の悪戯や興味本位による怪我等の回避と、地表を通る中型動物の捕獲の性能低下を防ぐこととを両立可能とするトラップボックスを提供する。【解決手段】中型害獣捕獲器を内包する中型害獣捕獲器用ハウジングであって、脚部１と、前記脚部１を介して接地面から離間した基底部２と、基底部２に穿設された害獣侵入口７と、基底部２の周囲に設けられた側壁３と、側壁３と接し、かつ、基底部２に対向して設けられた蓋４とを備え、側壁３と蓋４とが非透光性材料からなる。【選択図】図１
0003187062.tif 000002
【実用新案登録請求の範囲】
【請求項１】
中型害獣捕獲器を内包する中型害獣捕獲器用ハウジングであって、
脚部と、
前記脚部を介して接地面から離間した基底部と、
前記基底部に穿設された害獣侵入口と、
前記基底部の周囲に設けられた側壁と、
前記側壁と接し、かつ、前記基底部に対向して設けられた蓋とを備え、
前記側壁と前記蓋とが非透光性材料からなることを特徴とする中型害獣捕獲器用ハウジング。
【請求項２】
脚部と、
前記脚部を介して接地面から離間した基底部と、
前記基底部に穿設された害獣侵入口と、
前記基底部の周囲に設けられた側壁と、
前記側壁と接し、かつ、前記基底部に対向して設けられた蓋と、
前記基底部と前記側壁と前記蓋とで包囲された内部に中型害獣捕獲手段とを備え、
前記側壁と前記蓋とが非透光性材料からなることを特徴とする中型害獣捕獲器。
【考案の詳細な説明】
【技術分野】
【０００１】
本考案は、従来通りに害獣を捕獲でき、なおかつ、子供等の悪戯や興味本位による怪我等を回避することができる中型害獣捕獲器に関するものである。
【背景技術】
【０００２】
昨今、一般家庭の天井裏などに害獣（アライグマ、ハクビシン、ヌートリア等）が侵入し、糞害やノミ・ダニ等の発生が深刻になっている。
【０００３】
その為、害獣駆除業に従事する本考案の考案者は、役所からの依頼を受け、市販の中型害獣捕獲器（捕獲籠）を一般家庭に仕掛けているが、根本的に夜行性の害獣が生息するのはその近辺の森林や空き家などである。
【０００４】
しかし、従来の捕獲籠は四方が見えるため、森林公園などの公共の施設内に設置した捕獲籠を、犬の散歩やジョギング等で訪れた一般人が覗き込み、その際に、掛かった害獣に手などを出して引っかかれるという事例が報告されている。
【０００５】
捕獲籠を仕掛けた場所が立入禁止の領域であっても、事故が起きた場合、役所が責任を追及されることが多いのが実情であるため、県や市の管轄内の森林や湿地等でも設置できないことが多い。
【０００６】
先行技術に、捕獲箱の底部に小動物侵入口を設けて、ねずみ等の小動物の巣穴に被せるように設置して使用するものがあるが（特許文献１参照）、該底部侵入口とは別に側部侵入口を設けていることからもわかるとおり、該捕獲箱は子供の悪戯等を防止する機構はなく、また、該底部侵入口は地表を通る小動物には対応していない。
【０００７】
先行技術に、動物用わなに対する子供の悪戯等を防止する機構として、ねずみ等の小動物侵入口のサイズを調節するものがある（特許文献２参照）。
【先行技術文献】
【特許文献】
【０００８】
【特許文献１】特開２００８−０１１８１３号公報
【特許文献２】特開２０１０−５０４０９２号公報
【考案の概要】
【考案が解決しようとする課題】
【０００９】
解決しようとする問題点は、捕獲籠への子供等の悪戯や興味本位による怪我等の回避と、地表を通る中型動物の捕獲の性能低下の防止とを両立できない点である。
【課題を解決するための手段】
【００１０】
本考案は、一般人から捕獲籠を目視できないようにし、かつ、害獣捕獲性能を低下させないようにするため、害獣捕獲器用ハウジングの脚部を介して基底部を接地面から離間させ、当該基底部に害獣侵入口を形成することを最も主要な特徴とする。
【考案の効果】
【００１１】
本考案のトラップボックスは、害獣捕獲器用ハウジングの脚部を介して基底部を接地面から離間させ、当該基底部に害獣侵入口を形成しているため、 従来の捕獲籠と同様に地表を通る中型動物を捕獲することができ、なおかつ、一般人から捕獲籠を目視できないため、子供等の悪戯や興味本位による怪我等を回避することができるという利点がある。
【図面の簡単な説明】
【００１２】
【図１】図１はトラップボックスの斜視図である。（実施例１）
【図２】図２はトラップボックスの正面図である。（実施例１および実施例２）
【図３】図３は図２のＡ−Ａ線から見た全断面図である。（実施例１）
【図４】図４は捕獲籠を設置したときの図２のＡ−Ａ線から見た全断面図である。（実施例１および実施例２）
【考案を実施するための形態】
【００１３】
公共施設の中に設置する目的上、安全で、壊れにくく、扱いやすく、持ち運びが簡単で、かつ、組み立てが容易であるとともに、根本的な趣旨である害獣捕獲ができる物を実現した。
【実施例１】
【００１４】
図１は、本考案の１実施例の全体の斜視図である。本考案の中型害獣捕獲器用ハウジングの材質は、 内部が視認できない非透光性材料であればよく、木材、金属、プラスチック等を用いることが可能であるが、耐久性や持ち運びの便利さ、および、掛かった害獣からのウィルス感染を防ぐための清掃のし易さの観点から、アルミ複合材が最適である。
【００１５】
側壁３は四方各々に分離でき、脚部１は側壁３に固定されている。側壁３は８本のねじ５によって四囲を囲む形に固定される。基底部２には害獣侵入口７が穿設されている。側壁３をねじ８で固定した後に、基底部２を嵌め込む。側壁３の下部には受けになるフラットバー（図示せず）があるため基底部２が下に落ちることはない。基底部２に捕獲籠８を載置して、餌や撒き餌を施す。蓋４を閉めて鍵６を掛ける。
側壁３に通気口９を設けることにより、餌の臭いが内部に充満することや、夏場の暑さで掛かった害獣が死んでしまうことを防止することができる。
【００１６】
害獣は餌により誘引され害獣侵入口７から内部に侵入し、捕獲籠８にて捕獲される。あとは従来通り、巡視にて掛かった害獣を撤収する。
【００１７】
中型害獣捕獲器用ハウジングの内部に監視カメラを設置して動態調査をすることも可能である。
【実施例２】
【００１８】
実用新案登録請求の範囲に記載の中型害獣捕獲手段は市販の捕獲籠と同等の物を意味し、該中型害獣捕獲手段と中型害獣捕獲器用ハウジングが一体になった中型害獣捕獲器を製品として販売・貸与することができる。
【００１９】
中型害獣捕獲手段には、大別して吊り餌式と踏み板式とがある。
【００２０】
吊り餌式の中型害獣捕獲手段は、筒状籠と扉と扉係止手段と餌用ハンガーとを備えた捕獲籠において、筒状籠の内部に進入した中型害獣が餌を取ろうとして餌用ハンガーを引っ張ったときに、餌用ハンガーと連動させた前記扉係止手段の係止状態が解除されて前記扉が閉まり、筒状籠の内部に入った中型害獣を捕獲することができる。
【００２１】
踏み板式の中型害獣捕獲手段は、筒状籠と扉と扉係止手段と踏み板とを備えた捕獲籠において、撒き餌に誘引されて筒状籠の内部に進入した中型害獣が踏み板に乗ったときに、踏み板と連動させた前記扉係止手段の係止状態が解除されて前記扉が閉まり、筒状籠の内部に入った中型害獣を捕獲することができる。
【産業上の利用可能性】
【００２２】
従来の市販されている捕獲籠や公共が所有する捕獲籠等を利用でき、なおかつ、安全に捕獲籠が設置できるため、従来設置が不可能だった場所にも設置できるようになり、従来の捕獲籠と同様に地表を通る中型動物を捕獲することができる。テストを重ねた結果、従来と何ら変わりなく害獣を捕獲することができたことも強みである。
【符号の説明】
【００２３】
１    脚部
２    基底部
３    側壁
４    蓋
５    ねじ
６    鍵
７    害獣侵入口
８    捕獲籠
９    通気口
【図１】
0003187062.tif 000003
【図２】
0003187062.tif 000004
【図３】
0003187062.tif 000005
【図４】
0003187062.tif 000006
【手続補正書】
【提出日】平成25年9月6日(2013.9.6)
【手続補正１】
【補正対象書類名】明細書
【補正対象項目名】００１５
【補正方法】変更
【補正の内容】
【００１５】
側壁３は四方各々に分離でき、脚部１は側壁３に固定されている。側壁３は８本のねじ５によって四囲を囲む形に固定される。基底部２には害獣侵入口７が穿設されている。側壁３をねじ５で固定した後に、基底部２を嵌め込む。側壁３の下部には受けになるフラットバー（図示せず）があるため基底部２が下に落ちることはない。基底部２に捕獲籠８を載置して、餌や撒き餌を施す。蓋４を閉めて鍵６を掛ける。
側壁３に通気口９を設けることにより、餌の臭いが内部に充満することや、夏場の暑さで掛かった害獣が死んでしまうことを防止することができる。